(57)【特許請求の範囲】
【請求項１】
振り子と、前記振り子を揺動する振り子駆動手段とを備えた振り子装置において、
前記振り子は、その支点よりも上の部位に、揺動周期設定用の重りを装着する重り装着部を設けてなるものであるとともに、前記支点と前記重り装着部との間の形状が、その揺動方向に対して非対称のものであり、
前記振り子には、その重心位置を調整する重心位置調整手段を設け、
前記重心位置調整手段は、前記振り子の揺動方向に移動可能に設けられた調整重りを備え、前記調整重りを移動して前記重心位置を調整するようにし、
当該振り子装置は、前記重り装着部に装着する重りの重量を変えることにより、前記振り子の揺動周期が変えられるものとし、且つ前記重心位置調整手段にて前記重心位置を調整することにより、前記非対称の形状によって生じる前記振り子の揺動の不均衡を矯正するようにしたことを特徴とする振り子装置。
【請求項２】
前記振り子は、その下端部に振り玉を備え、
前記重心位置調整手段は、ねじ山を設けた棒体を前記振り玉の内部に水平に支持するとともに、前記棒体にナット状の前記調整重りを螺合してなるものであり、
前記振り玉には、前記調整重りを露呈する開口部を設け、
前記調整重りは、前記棒体に対してこれを回転操作することにより移動させるものであり、
前記振り子の重心位置は、前記棒体に対する前記調整重りの螺合位置を変えることにより調整されるようにしたことを特徴とする請求項１記載の振り子装置。
【発明の詳細な説明】
【技術分野】
【０００１】
本発明は、時計の装飾等に利用される振り子装置に関する。
【背景技術】
【０００２】
壁掛け時計や置き時計としては、装飾用の振り子装置を備えたものが知られている。振り子装置は、磁石を設けた振り子を支持体に支持するとともに、磁石に作用する振り子駆動手段を振り子の外部に配置して構成されている。この種の振り子装置は、特許文献１にも開示されている。特許文献１に開示された振り子装置は、複数の部材を組付けてなる振り子を用いてなるものであり、組付け部材の上下位置を反転させることにより、周期の設定の自由度を高めることができるものとなっている。
【特許文献１】特開２００５−１４０５４３号公報
【発明の開示】
【発明が解決しようとする課題】
【０００３】
さて近年、時計のデザインはますます多様化される傾向にあり、前述した振り子装置についても、装飾性に優れるとともに、汎用性及び組立て性を向上してなるものが望まれている。特に、振り子の構成がより複雑化することによれば、振り子の重心位置を揺動方向に移動して適宜調整するための構成も必要になると考えられる。本発明は、かかる事情に鑑みてなされたものであり、その目的は、より合理的に構成された振り子装置を提供することである。
【課題を解決するための手段】
【０００４】
本願第１請求項に記載した発明は、振り子と、前記振り子を揺動する振り子駆動手段とを備えた振り子装置において、前記振り子は、その支点よりも上の部位に、揺動周期設定用の重りを装着する重り装着部を設けてなるものであるとともに、前記支点と前記重り装着部との間の形状が、その揺動方向に対して非対称のものであり、前記振り子には、その重心位置を調整する重心位置調整手段を設け、前記重心位置調整手段は、前記振り子の揺動方向に移動可能に設けられた調整重りを備え、前記調整重りを移動して前記重心位置を調整するようにし、当該振り子装置は、前記重り装着部に装着する重りの重量を変えることにより、前記振り子の揺動周期が変えられるものとし、且つ前記重心位置調整手段にて前記重心位置を調整することにより、前記非対称の形状によって生じる前記振り子の揺動の不均衡を矯正するようにした構成の振り子装置である。
【０００５】
本願第２請求項に記載した発明は、請求項１において、前記振り子は、その下端部に振り玉を備え、前記重心位置調整手段は、ねじ山を設けた棒体を前記振り玉の内部に水平に支持するとともに、前記棒体にナット状の前記調整重りを螺合してなるものであり、前記振り玉には、前記調整重りを露呈する開口部を設け、前記調整重りは、前記棒体に対してこれを回転操作することにより移動させるものであり、前記振り子の重心位置は、前記棒体に対する前記調整重りの螺合位置を変えることにより調整されるようにした構成の振り子装置である。
【発明の効果】
【０００７】
本発明によれば、より合理的に構成された振り子装置を得ることができる。
【発明を実施するための最良の形態】
【０００８】
以下に、本発明の実施例を図面に基づいて詳細に説明する。図１乃至図３に示すように、本例の振り子装置１は、時計の筐体５００の内部に組込まれ、その時計を装飾するものである。図４乃至図９に示すように、この振り子装置１は、振り子１００と、振り子１００を揺動可能に支持したプレート状の支持体２００と、振り子を揺動する振り子駆動手段３００とを備えている。時計の筐体５００に対しては、文字板５１０の背部に支持体２００を装着するする構成となっている。また、支持体２００には、時計の指針５２０を駆動するムーブメント４００が設けられている。
【０００９】
振り子１００は、支持体２００に設けられたナイフエッジ状の軸部２１０に支持されて、この軸部２１０を支点として揺動する。振り子駆動手段３００は、磁気的作用にて振り子１００を揺動するものであり、支持体２００の要所に設けられている。具体的には、振り子１００に設けられた磁石１１１がその近傍を通過する際に検出コイルに誘起電圧を発生し、検出コイルに誘起電圧が発生すると駆動コイルに電流が流れ、駆動コイルが磁石１１１を反発することにより振り子１００を加勢する構成となっている。
【００１０】
この振り子１００は、支持体２００に支持される第１振り子部材１１０と、第１振り子部材１１０の下部に連結される第２振り子部材１２０とを組付けてなるものである。第１振り子部材１１０及び第２振り子部材１２０は、金型成形された合成樹脂製の部材からなるものである。或は、プレス成形された金属製の部材からなるものである。第１振り子部材１１０には、前述した磁石１１１と、軸部２１０を挿通する孔部１１２と、揺動周期設定用の重り１１３が設けられている。また、この第１振り子部材１１０の中間部位には、ムーブメント４００の針合わせ４１０との干渉を回避するための湾曲部１１０ａが設けられている。第２振り子部材１２０の下端部、つまり振り子１００の下端部には、振り玉１２１が設けられている。時計の筐体５００は、文字板５１０の下部において第２振り子部材１２０を外部に露呈するものとなっている。尚、本例の振り玉１２１には、振り子１００の重心位置を調整する重心位置調整手段１３０が設けられている。重心位置調整手段１３０については、後に詳述する。
【００１１】
また、本例の振り子１００は、その支点となる軸部２１０よりも上の部位に磁石１１１及び重り１１３を設けてなるものである。振り子１００の揺動周期は、支点よりも上の部位の重量に応じて遅くなる。すなわち、ゆったりとした優雅な動きを醸し出す構成となっている。
【００１２】
次に、第１振り子部材１１０と第２振り子部材１２０とを連結する機構について説明する。本例の場合、第１振り子部材１１０及び第２振り子部材１２０の一方にはフック部１２２を設けるとともに、それらの他方にはフック部１２２を係止する係止部１１４を設けている。図例の振り子１００は、フック部１２２を第２振り子部材１２０の上部に設け、係止部１１４を第１振り子部材１１０の下部に設けたものである。係止部１１４には、フック部１２２の幅に対応する径を上から下に向って減少するテーパーが設けられており、フック部１２２は、テーパーに導かれて所定の位置に係止される構成となっている。尚、フック部１２２を第１振り子部材１１０の下部に設け、係止部１１４を第２振り子部材１２０の上部に設けることも可能である。第２振り子部材１２０は、フック部１２２を係止部１１４に係止することにより、第１振り子部材１１０に吊り下げられた状態となる。
【００１３】
更に本例の場合、第１振り子部材１１０には、第２振り子部材１２０を挟む一対の突片１１５が設けられている。一対の突片１１５は、第２振り子部材１２０の上部近傍を振り子１００の揺動方向に挟むものとなっている。第２振り子部材１２０は、フック部１２２を係止部１１４に係止するとともに、一対の突片１１５の間に圧入するものとなっている。かかる一対の突片１１５は、第１振り子部材１１０の金型成形において一体成形された部位であり、弾性変形して第２振り子部材に圧接する。
【００１４】
このように、一対の突片１１５が弾性変形して第２振り子部材１２０に圧接するので、第１振り子部材１１０に対する第２振り子部材１２０の位置が振り子１００の揺動方向に移動することはない。従って、振り子１００の揺動が確実に安定化する。
【００１５】
次に、揺動周期設定用の重り１１３及びこれを装着する重り装着部１１６について説明する。本例の振り子１００は、その支点となる軸部２１０よりも上の部位に、重り装着部１１６を設けてなるものである。この重り装着部１１６は、第１振り子部材１１０の要所に設けられている。
【００１６】
また、この振り子装置１は、重り装着部１１６に装着する重り１１３の重量を変えることにより、振り子１００の揺動周期が変えられるものとなっている。更に、重り１１３は、重り装着部１１６の所定位置に対し対称的に設けられるものとして、重り装着部１１６に装着する重り１１３の重さが異なっても、振り子１００全体の重心の位置がずれることがないように構成されている。
【００１７】
本例の場合、磁石１１１及び重り１１３を含めた振り子１００全体の重心は、軸部２１０の前後方向中心に位置するように設定されている。振り子１００の揺動を安定化させるためである。この振り子１００全体の重心が、装着する重り１１３の重さにより移動すると、振り子１００の揺動が不安定になる場合が考えられるが、本例によると、そのような不都合を回避することができる。
【００１８】
図１０及び図１１に示すように、本例の重り１１３は、底面を前後方向に向けた円筒形状を呈するものであり、重り装着部１１６は、これを嵌装する円筒形状の内周面を有する形状となっている。また、重り装着部１１６には、その前後方向の一方から他方に向って突出したボス１１６ａが設けられており、重り１１３は、このボス１１６ａを前後双方からそれぞれ挿入可能とする形状となっている。重り１１３の内部中央には、ボス１１６ａの頂部と当接する壁部１１３ａが設けられており、重り１１３は、壁部１１３ａをボス１１６ａにねじ止めして固定される。ボス１１６ａには雄ねじ部品１１６ｂを螺合する雌ねじ部が設けられており、重り１１３の壁部１１３ａには雄ねじ部品１１６ｂを挿通する通孔１１３ｂが設けられている。重り１１３は、このようにねじ止めされた状態において、重り装着部１１６の所定位置に対し前後方向に対称的に設けられている。尚、雄ねじ部品１１６ｂとしてタッピンねじを用いる場合は、ボス１１６ａの雌ねじ部の成形は省略することができる。
【００１９】
図１２及び図１３に示すように、重り装着部１１６に装着する重り１１３の重さは、重り１１３の前後方向の寸法を変えることにより調整される。振り子１００の揺動周期は、例えば、図１０に示すもののは２．０秒、図１２に示すものは１．７秒、図１３に示すものは１．３秒となっている。およそ２．０〜１．２秒の範囲で設定可能である。このような構成によると、振り子１００の揺動周期の調整を可能としつつ、その振り子１００の安定した揺動を確保することができる。
【００２０】
尚、重り１１３及び重り装着部１１６については、図１４及び図１５に示すような構成も可能である。これらの図に示す重り装着部１１６は、その前後方向の中央に壁部１１６ｄを設けてなるものであり、重り１１３は、その壁部１１６ｄを前後から挟むように同型のものを装着する構成となっている。各重り１１３及び壁部１１６ｄには、雄ねじ部品１１６ｂを挿通する通孔１１３ｂ，１１６ｅが設けられており、各重り１１３は、これらの通孔１１３ｂ，１１６ｅに挿通した雄ねじ部品１１６ｂに雌ねじ部品１１６ｃを螺合することにより固定される。図１６に示すように、重り装着部１１６に装着する重り１１３の重さは、重り１１３の前後方向の寸法を変えることにより調整される。
【００２１】
次に、重心位置調整手段１３０について説明する。図１７に示すように、本例の振り子１００には、その重心位置を調整する重心位置調整手段１３０が設けられている。この重心位置調整手段１３０は、振り子１００の揺動方向に移動可能に設けられた調整重り１３１を備え、調整重り１３１を移動して振り子１００の揺動方向に対する重心位置を調整する構成となっている。
【００２２】
具体的には、中空状の振り玉１２１の内部にレバー体１３２を回転可能に支持し、レバー体１３２の一方の端部に調整重り１３１を固定するとともに、レバー体１３２の他方の端部を振り玉の裏側から外部に突出した操作部１３３とし、この操作部１３３を操作してレバー体１３２を動かすことにより、振り子１００に対する調整重り１３１の相対位置が変化して、振り子１００の重心位置が調整される構成となっている。振り玉１２１の裏面には、操作部１３３の移動域に対応する長孔１３４が設けられている。
【００２３】
前述したように、本例の振り子１００は、第１振り子部材１１０の中間部位にムーブメント４００の針合わせ４１０との干渉を回避するための湾曲部１１０ａが設けられている。つまり、その支点よりも上の部位に、揺動周期設定用の重り１１３を装着する重り装着部１１６を設けてなるものであるとともに、支点と重り装着部１１６との間の形状が、その揺動方向に対して非対称のものである。そこで、当該振り子装置１は、重心位置調整手段１３０にて振り子１００の重心位置を調整することにより、その非対称の形状によって生じる振り子１００の揺動の不均衡を矯正する構成とした。
【００２４】
本来、振り子１００の形状は、揺動のバランスを考慮すれば、揺動方向に対して対称であることが望ましいとされる。但し、他の部材との緩衝を回避するためには、揺動方向の一方の側に湾曲させる等の変形が施される。特に、本例の振り子１００は、支点の上部に重り１１３を設けることによってその揺動周期を遅くしたものであり、支点と重り装着部１１６との間が非対称となっている。つまり、重り１１３の自重がこのような部位を介して支点にかかるため、振り子１００の揺動の不均衡が生じるという不利益がある。揺動の不均衡とは、左右の往復時間や振り幅の差、及び静止位置のずれ等である。時計の筐体５００については、その内部スペースの有効利用・稠密化が必要とされており、湾曲部１１０ａのような変形もやむをえないと考えられる。そこで本願発明者は、このような問題に対処すべく、振り子１００に重心位置調整手段１３０を設けた訳である。
【００２５】
このように、本例の振り子装置１は、重り装着部１１６に装着する重り１１３の重量を変えることにより、振り子１００の揺動周期を変えることができるものである。更に、重り１１３の重量に応じて、重心位置調整手段１３０にて振り子１００の重心位置を調整し、湾曲部１１０ａの非対称の形状によって生じる揺動の不均衡を矯正することができる。このような構成によれば、よりバランスのとれた美しい振り子１００の揺動を得ることができる。
【００２６】
以上説明したように、本例の振り子装置は、時計の筐体に設けるべく合理的に構成してなるものであり、時計を装飾する装置として好適に利用することが可能である。尚、本例における各部の構成は、特許請求の範囲に記載した技術的範囲において適宜に設計変更が可能であり、図例したものに限定されないことは勿論である。
【００２７】
例えば、重心位置調整手段は、図１８に示すように構成することも可能である。同図に示す重心位置調整手段１４０は、中空状の振り玉１２１の内部に配置される調整重り１４１と、調整重り１４１に支持された摘み１４２と、調整重り１４１と摘み１４２との間に設けられたテーパー形状の弾性部１４３と、振り玉１２１の裏面に設けられた所定の形状の溝部１４４とを備え、振り玉１２１の外部から摘み１４２を操作して溝部１４４の要所に弾性部１４３を圧入し、調整重り１４１を固定する。溝部１４４は、弾性部１４３を圧入する部位を振り子１００の揺動方向に列設した形状となっており、振り子１００の重心位置は、調整重り１４１を固定する位置を変えることにより、調整される。
【００２８】
更に、重心位置調整手段は、図１９に示すように構成することも可能である。同図に示す重心位置調整手段１５０は、ねじ山を設けた棒体１５２を中空状の振り玉１２１の内部に水平に支持するとともに、棒体１５２にナット状の調整重り１５１を螺合してなるものである。また、振り玉１２１の背面には、調整重り１５１を露呈する開口部１５３が設けられている。調整重り１５１は、棒体１５２に対してこれを回転操作することにより移動させる。振り子１００の重心位置は、棒体１５２に対する調整重り１５１の螺合位置を変えることにより、調整される。
【産業上の利用可能性】
【００２９】
本発明の振り子装置は、置き時計や壁掛け時計を装飾するものとして好適に利用することができる。
【図面の簡単な説明】
【００３０】
【図１】本発明の実施例に係り、振り子装置を設けた時計の筐体を示す正面図である。
【図２】本発明の実施例に係り、振り子装置を設けた時計の筐体内部を示す正面図である。
【図３】本発明の実施例に係り、振り子装置を設けた時計の筐体内部を示す側面断面図である。
【図４】本発明の実施例に係り、振り子装置を示す透視正面図である。
【図５】本発明の実施例に係り、振り子装置を示す透視側面図である。
【図６】本発明の実施例に係り、振り子を示す透視正面図である。
【図７】本発明の実施例に係り、振り子を示す透視側面図である。
【図８】本発明の実施例に係り、第１振り子部材の揺動を示す説明図である。
【図９】本発明の実施例に係り、（ａ）は振り子の要部を示す透視正面図であり、（ｂ）は振り子の要部を示す透視側面図である。
【図１０】本発明の実施例に係り、振り子の要部を示す側面断面図である。
【図１１】本発明の実施例に係り、重りの説明図であり、（ａ）は重りを示す正面図、（ｂ）は側面図、（ｃ）は側面断面図である。
【図１２】本発明の実施例に係り、振り子の要部を示す側面断面図である。
【図１３】本発明の実施例に係り、振り子の要部を示す側面断面図である。
【図１４】本発明の実施例に係り、振り子の要部を示す側面断面図である。
【図１５】本発明の実施例に係り、重りの説明図であり、（ａ）は重りを示す正面図（ｂ）は側面図、（ｃ）は側面断面図である。
【図１６】本発明の実施例に係り、振り子の要部を示す側面断面図である。
【図１７】本発明の実施例に係り、重心位置調整手段の説明図であり、（ａ）は重心位置調整手段を示す正面図、（ｂ）はその側面断面図である。
【図１８】本発明の実施例に係り、重心位置調整手段の説明図であり、（ａ）は重心位置調整手段を示す正面図、（ｂ）はその側面断面図である。
【図１９】本発明の実施例に係り、重心位置調整手段の説明図であり、（ａ）は重心位置調整手段を示す正面図、（ｂ）はその側面断面図である。
【符号の説明】
【００３１】
１    振り子装置
１００    振り子
１１０    第１振り子部材
１１０ａ    湾曲部
１１１    磁石
１１２    孔部
１１３    重り
１１３ａ    壁部
１１３ｂ    通孔
１１４    係止部
１１５    突片
１１６    重り装着部
１１６ａ    ボス
１１６ｂ    雄ねじ部品
１１６ｃ    雌ねじ部品
１１６ｄ    壁部
１１６ｅ    通孔
１２０    第２振り子部材
１２１    振り玉
１２２    フック部
１３０    重心位置調整手段
１３１    調整重り
１３２    レバー体
１３３    操作部
１３４    長孔
１４０    重心位置調整手段
１４１    調整重り
１４２    摘み
１４３    弾性部
１４４    溝部
１５０    重心位置調整手段
１５１    調整重り
１５２    棒体
１５３    開口部
２００    支持体
２１０    軸部
３００    振り子駆動手段
４００    ムーブメント
４１０    針合わせ
５００    時計の筐体
５１０    文字板
５２０    指針
【図１】
0004916404.tif 000002
【図２】
0004916404.tif 000003
【図３】
0004916404.tif 000004
【図４】
0004916404.tif 000005
【図５】
0004916404.tif 000006
【図６】
0004916404.tif 000007
【図７】
0004916404.tif 000008
【図８】
0004916404.tif 000009
【図９】
0004916404.tif 000010
【図１０】
0004916404.tif 000011
【図１１】
0004916404.tif 000012
【図１２】
0004916404.tif 000013
【図１３】
0004916404.tif 000014
【図１４】
0004916404.tif 000015
【図１５】
0004916404.tif 000016
【図１６】
0004916404.tif 000017
【図１７】
0004916404.tif 000018
【図１８】
0004916404.tif 000019
【図１９】
0004916404.tif 000020